(57)【要約】端末装置が、基地局装置から複数の参照信号の各々に関連付けられた複数のＱＣＬ（Quasi Co-Location）パラメータを示す第１の情報を含む信号を受信し、前記基地局装置から前記複数のＱＣＬパラメータのうちの１つを設定する第２の情報を含む信号を受信する受信部と、前記第１の情報と前記第２の情報に基づくＱＣＬパラメータの下りリンク制御チャネルを受信するモニタ部と、を備える。
2018174271.tif 000002
【特許請求の範囲】
【請求項１】
端末装置であって、
基地局装置から複数の参照信号の各々に関連付けられた複数のＱＣＬ（Quasi Co-Location）パラメータを示す第１の情報を含む信号を受信し、前記基地局装置から前記複数のＱＣＬパラメータのうちの１つを設定する第２の情報を含む信号を受信する受信部と、
前記第１の情報と前記第２の情報に基づくＱＣＬパラメータの下りリンク制御チャネルを受信するモニタ部と、
を備える端末装置。
【請求項２】
前記第１の情報はＲＲＣ（Radio Resource Control）メッセージに含まれ、前記第２の情報はＭＡＣ  ＣＥ（Medium Access Control Control Element）に含まれる
請求項１記載の端末装置。
【請求項３】
前記第１の情報と前記第２の情報に基づくリンクの品質をモニタする
請求項１記載の端末装置。
【請求項４】
基地局装置であって、
端末装置へ送信する複数の参照信号を生成する参照信号生成部と、
前記複数の参照信号の各々に関連付けられた複数のＱＣＬパラメータを示す第１の情報を含む信号を送信し、前記端末装置に対して前記複数のＱＣＬパラメータのうちの１つまたは複数を指示する第２の情報を含む信号を送信し、前記第１の情報と前記第２の情報に基づくＱＣＬパラメータの下りリンク制御チャネルを送信する送信部と、
を備える基地局装置。
【請求項５】
端末装置に用いられる通信方法であって、
基地局装置から複数の参照信号の各々に関連付けられた複数のＱＣＬ（Quasi Co-Location）パラメータを示す第１の情報を含む信号を受信し、前記基地局装置から前記複数のＱＣＬパラメータのうちの１つを設定する第２の情報を含む信号を受信し、
前記第１の情報と前記第２の情報に基づくＱＣＬパラメータの下りリンク制御チャネルを受信する
通信方法。
【請求項６】
基地局装置に用いられる通信方法であって、
端末装置へ送信する複数の参照信号を生成し、
前記複数の参照信号の各々に関連付けられた複数のＱＣＬパラメータを示す第１の情報を含む信号を送信し、前記端末装置に対して前記複数のＱＣＬパラメータのうちの１つまたは複数を指示する第２の情報を含む信号を送信し、前記第１の情報と前記第２の情報に基づくＱＣＬパラメータの下りリンク制御チャネルを送信する
通信方法。
【請求項７】
端末装置に実装される集積回路であって、
基地局装置から複数の参照信号の各々に関連付けられた複数のＱＣＬ（Quasi Co-Location）パラメータを示す第１の情報を含む信号を受信し、前記基地局装置から前記複数のＱＣＬパラメータのうちの１つを設定する第２の情報を含む信号を受信する機能と、
前記第１の情報と前記第２の情報に基づくＱＣＬパラメータの下りリンク制御チャネルを受信する機能と、
を端末装置に発揮させる集積回路。
【請求項８】
基地局装置に実装される集積回路であって、
端末装置へ送信する複数の参照信号を生成する機能と、
前記複数の参照信号の各々に関連付けられた複数のＱＣＬパラメータを示す第１の情報を含む信号を送信し、前記端末装置に対して前記複数のＱＣＬパラメータのうちの１つまたは複数を指示する第２の情報を含む信号を送信し、前記第１の情報と前記第２の情報に基づくＱＣＬパラメータの下りリンク制御チャネルを送信する機能と、
を基地局装置に発揮させる集積回路。
【発明の詳細な説明】
【技術分野】
【０００１】
本発明は、端末装置、基地局装置、通信方法、および、集積回路に関する。
本願は、２０１７年３月２３日に日本に出願された特願２０１７−０５７４０５号について優先権を主張し、その内容をここに援用する。
【背景技術】
【０００２】
現在、第５世代のセルラーシステムに向けた無線アクセス方式および無線ネットワーク技術として、第三世代パートナーシッププロジェクト（3GPP: The Third Generation Partnership Project）において、ＬＴＥ（Long Term Evolution）−Ａｄｖａｎｃｅｄ  Ｐｒｏ及びＮＲ（New Radio technology）の技術検討及び規格策定が行われている（非特許文献１）。【０００３】
第５世代のセルラーシステムでは、高速・大容量伝送を実現するｅＭＢＢ（enhanced Mobile BroadBand）、低遅延・高信頼通信を実現するＵＲＬＬＣ（Ultra-Reliable and Low Latency Communication）、ＩｏＴ（Internet of Things）などマシン型デバイスが多数接続するｍＭＴＣ（massive Machine Type Communication）の３つがサービスの想定シナリオとして要求されている。【０００４】
ＮＲでは、高い周波数で多数のアンテナエレメントを用いてビームフォーミングゲインによりカバレッジを確保するマッシブＭＩＭＯ（Multiple-Input Multiple-Output）の技術検討が行われている（非特許文献２、非特許文献３、非特許文献４）。
【先行技術文献】
【非特許文献】
【０００５】
【非特許文献１】ＲＰ−１６１２１４  ＮＴＴ  ＤＯＣＯＭＯ，“Ｒｅｖｉｓｉｏｎ  ｏｆ  ＳＩ：Ｓｔｕｄｙ  ｏｎ  Ｎｅｗ  Ｒａｄｉｏ  Ａｃｃｅｓｓ  Ｔｅｃｈｎｏｌｏｇｙ”，２０１６年６月
【非特許文献２】Ｒ１−１６２８８３  Ｎｏｋｉａ，Ａｌｃａｔｅｌ−Ｌｕｃｅｎｔ  ＳｈａｎｇｈａｉＢｅｌｌ，“Ｂａｓｉｃ  Ｐｒｉｎｃｉｐｌｅｓ  ｆｏｒ  ｔｈｅ  ５Ｇ  Ｎｅｗ  Ｒａｄｉｏ  Ａｃｃｅｓｓ  ｔｅｃｈｎｏｌｏｇｙ”，２０１６年４月
【非特許文献３】Ｒ１−１６２３８０，Ｉｎｔｅｌ  Ｃｏｒｐｏｒａｔｉｏｎ，“Ｏｖｅｒｖｉｅｗ  ｏｆｏｆ  ａｎｔｅｎｎａ  ｔｅｃｈｎｏｌｏｇｙ  ｆｏｒ  ｎｅｗ  ｒａｄｉｏ  ｉｎｔｅｒｆａｃｅ”，２０１６年，４月
【非特許文献４】Ｒ１−１６３２１５，Ｅｒｉｃｓｓｏｎ，“Ｏｖｅｒｖｉｅｗ  ｏｆ  ＮＲ”，２０１６年，４月
【発明の概要】
【発明が解決しようとする課題】
【０００６】
本発明の一態様は効率的に基地局装置と通信することができる端末装置、該端末装置と通信する基地局装置、該端末装置に用いられる通信方法、該基地局装置に用いられる通信方法を提供する。例えば、該端末装置、および、該基地局装置に用いられる通信方法は、効率的な通信、複雑性の低減、セル間、および／または、端末装置間の干渉を低減するための、上りリンク送信方法、変調方法、および／または、符号化方法を含んでもよい。
【課題を解決するための手段】
【０００７】
（１）本発明の態様は、以下のような手段を講じた。すなわち、本発明の第１の態様は、端末装置であって、基地局装置から複数の参照信号の各々に関連付けられた複数のＱＣＬ（Quasi Co-Location）パラメータを示す第１の情報を含む信号を受信し、前記基地局装置から前記複数のＱＣＬパラメータのうちの１つを設定する第２の情報を含む信号を受信する受信部と、前記第１の情報と前記第２の情報に基づくＱＣＬパラメータの下りリンク制御チャネルを受信するモニタ部と、を備える。【０００８】
（２）本発明の第２の態様は、基地局装置であって、端末装置へ送信する複数の参照信号を生成する参照信号生成部と、前記複数の参照信号の各々に関連付けられた複数のＱＣＬパラメータを示す第１の情報を含む信号を送信し、前記端末装置に対して前記複数のＱＣＬパラメータのうちの１つまたは複数を指示する第２の情報を含む信号を送信し、前記第１の情報と前記第２の情報に基づくＱＣＬパラメータの下りリンク制御チャネルを送信する送信部と、を備える。【０００９】
（３）本発明の第３の態様は、端末装置に用いられる通信方法であって、基地局装置から複数の参照信号の各々に関連付けられた複数のＱＣＬ（Quasi Co-Location）パラメータを示す第１の情報を含む信号を受信し、前記基地局装置から前記複数のＱＣＬパラメータのうちの１つを設定する第２の情報を含む信号を受信し、前記第１の情報と前記第２の情報に基づくＱＣＬパラメータの下りリンク制御チャネルを受信する。
【００１０】
（４）本発明の第４の態様は、基地局装置に用いられる通信方法であって、端末装置へ送信する複数の参照信号を生成し、  前記複数の参照信号の各々に関連付けられた複数のＱＣＬパラメータを示す第１の情報を含む信号を送信し、前記端末装置に対して前記複数のＱＣＬパラメータのうちの１つまたは複数を指示する第２の情報を含む信号を送信し、前記第１の情報と前記第２の情報に基づくＱＣＬパラメータの下りリンク制御チャネルを送信する。【００１１】
（５）本発明の第５の態様は、端末装置に実装される集積回路であって、基地局装置から複数の参照信号の各々に関連付けられた複数のＱＣＬ（Quasi Co-Location）パラメータを示す第１の情報を含む信号を受信し、前記基地局装置から前記複数のＱＣＬパラメータのうちの１つを設定する第２の情報を含む信号を受信する機能と、前記第１の情報と前記第２の情報に基づくＱＣＬパラメータの下りリンク制御チャネルを受信する機能と、を端末装置に発揮させる。【００１２】
（６）本発明の第６の態様は、基地局装置に実装される集積回路であって、端末装置へ送信する複数の参照信号を生成する機能と、前記複数の参照信号の各々に関連付けられた複数のＱＣＬパラメータを示す第１の情報を含む信号を送信し、前記端末装置に対して前記複数のＱＣＬパラメータのうちの１つまたは複数を指示する第２の情報を含む信号を送信し、前記第１の情報と前記第２の情報に基づくＱＣＬパラメータの下りリンク制御チャネルを送信する機能と、を基地局装置に発揮させる。
【発明の効果】
【００１３】
この発明の一態様によれば、端末装置および基地局装置は互いに効率的に通信および／または複雑性の低減をすることができる。
【図面の簡単な説明】
【００１４】
【図１】本発明の実施形態に係る無線通信システムの概念図である。
【図２】本発明の実施形態に係る下りリンクスロットの概略構成の一例を示す図である。
【図３】本発明の実施形態に係るサブフレーム、スロット、ミニスロットの時間領域における関係を示す図である。
【図４】本発明の実施形態に係るスロットまたはサブフレームの一例を示す図である。
【図５】本発明の実施形態に係るビームフォーミングの一例を示す図である。
【図６】本発明の実施形態に係る１つまたは複数のセルにおいて送信ビームの適用された複数の参照信号が送信される概念を示す図である。
【図７】本発明の実施形態に係る端末装置１におけるビームペアリンク状態報告のトリガリングの一例を示すフロー図である。
【図８】本発明の実施形態に係る端末装置１におけるビームリカバリ要求のトリガリングの一例を示すフロー図である。
【図９】本発明の実施形態に係る端末装置１における下りリンク制御チャネルのモニタリングの一例を示すフロー図である。
【図１０】本発明の実施形態に係る基地局装置３における下りリンク制御チャネルの送信の一例を示すフロー図である。
【図１１】本発明の実施形態に係る端末装置１がモニタする下りリンク制御チャネル領域を変更する場合の一例を示す概念図である。
【図１２】本発明の実施形態に係る端末装置１の構成を示す概略ブロック図である。
【図１３】本発明の実施形態に係る基地局装置３の構成を示す概略ブロック図である。
【発明を実施するための形態】
【００１５】
以下、本発明の実施形態について説明する。
【００１６】
ＬＴＥ（およびＬＴＥ−Ａｄｖａｎｃｅｄ  Ｐｒｏ）とＮＲは、異なるＲＡＴ（Radio Access Technology）として定義されてもよい。ＮＲは、ＬＴＥに含まれる技術として定義されてもよい。本実施形態はＮＲ、ＬＴＥおよび他のＲＡＴに適用されてよい。以下の説明では、ＬＴＥに関連する用語を用いて説明するが、他の用語を用いる他の技術においても適用されてもよい。
【００１７】
図１は、本発明の実施形態に係る無線通信システムの概念図である。図１において、無線通信システムは、端末装置１Ａ、端末装置１Ｂ、基地局装置３を具備する。端末装置１Ａ、および、端末装置１Ｂを、端末装置１とも称する。
【００１８】
端末装置１は、移動局装置、ユーザ端末（UE: User Equipment）、通信端末、移動機、端末、ＭＳ（Mobile Station）などと称される場合もある。基地局装置３は、無線基地局装置、基地局、無線基地局、固定局、ＮＢ（Node B）、ｅＮＢ（evolved Node B）、ＮＲ  ＮＢ（NR Node B）、ｇＮＢ（next generation Node B）、アクセスポイント、ＢＴＳ（Base Transceiver Station）、ＢＳ（Base Station）などと称される場合もある。基地局装置３は、コアネットワーク装置を含んでもよい。また、基地局装置３は、１つまたは複数の送受信点４（ｔｒａｎｓｍｉｓｓｉｏｎ  ｒｅｃｅｐｔｉｏｎ  ｐｏｉｎｔ：ＴＲＰ）を具備してもよい。以下で説明する基地局装置３の機能／処理の少なくとも一部は、該基地局装置３が具備する各々の送受信点４における機能／処理であってもよい。基地局装置３は、基地局装置３によって制御される通信可能範囲（通信エリア）を１つまたは複数のセルとして端末装置１をサーブしてもよい。また、基地局装置３は、１つまたは複数の送受信点４によって制御される通信可能範囲（通信エリア）を１つまたは複数のセルとして端末装置１をサーブしてもよい。また、１つのセルを複数の部分領域（Ｂｅａｍｅｄ  ａｒｅａ）にわけ、それぞれの部分領域において端末装置１をサーブしてもよい。ここで、部分領域は、ビームフォーミングで使用されるビームのインデックスあるいはプリコーディングのインデックスに基づいて識別されてもよい。
【００１９】
基地局装置３がカバーする通信エリアは周波数毎にそれぞれ異なる広さ、異なる形状であっても良い。また、カバーするエリアが周波数毎に異なっていてもよい。また、基地局装置３の種別やセル半径の大きさが異なるセルが、同一の周波数または異なる周波数に混在して１つの通信システムを形成している無線ネットワークのことを、ヘテロジニアスネットワークと称する。
【００２０】
基地局装置３から端末装置１への無線通信リンクを下りリンクと称する。端末装置１から基地局装置３への無線通信リンクを上りリンクと称する。端末装置１から他の端末装置１への無線通信リンクをサイドリンクと称する。
【００２１】
図１において、端末装置１と基地局装置３の間の無線通信および／または端末装置１と他の端末装置１の間の無線通信では、サイクリックプレフィックス（CP: Cyclic Prefix）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤＭ（DFT-S-OFDM: Discrete Fourier Transform Spread OFDM）、マルチキャリア符号分割多重（MC-CDM: Multi-Carrier Code Division Multiplexing）が用いられてもよい。
【００２２】
また、図１において、端末装置１と基地局装置３の間の無線通信および／または端末装置１と他の端末装置１の間の無線通信では、ユニバーサルフィルタマルチキャリア（UFMC: Universal-Filtered Multi-Carrier）、フィルタＯＦＤＭ（F-OFDM: Filtered OFDM）、窓が乗算されたＯＦＤＭ（Windowed OFDM）、フィルタバンクマルチキャリア（FBMC: Filter-Bank Multi-Carrier）が用いられてもよい。
【００２３】
なお、本実施形態ではＯＦＤＭを伝送方式としてＯＦＤＭシンボルで説明するが、上述の他の伝送方式の場合を用いた場合も本発明の一態様に含まれる。例えば、本実施形態におけるＯＦＤＭシンボルはＳＣ−ＦＤＭシンボル（ＳＣ−ＦＤＭＡ（Single-Carrier Frequency Division Multiple Access）シンボルと称される場合もある）であってもよい。
【００２４】
また、図１において、端末装置１と基地局装置３の間の無線通信および／または端末装置１と他の端末装置１の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２５】
本実施形態では、端末装置１に対して１つまたは複数のサービングセルが設定される。設定された複数のサービングセルは、１つのプライマリーセル（Primary Cell、PCellとも称される）と１つまたは複数のセカンダリーセル（Secondary Cell、SCellとも称される）とを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣ（Radio Resource Control）コネクションが確立された時点、または、後に、１つまたは複数のセカンダリーセルが設定されてもよい。ただし、設定された複数のサービングセルは、１つのプライマリーセカンダリーセル（Primary SCell、PSCellとも称される）を含んでもよい。プライマリーセカンダリーセルは、端末装置１が設定された１つまたは複数のセカンダリーセルのうち、上りリンクにおいて制御情報を送信可能なセカンダリーセルであってもよい。また、端末装置１に対して、マスターセルグループ（Master Cell Group、MCGとも称される）とセカンダリーセルグループ（Secondary Cell Group、SCGとも称される）の２種類のサービングセルのサブセットが設定されてもよい。マスターセルグループは１つのプライマリーセルと０個以上のセカンダリーセルで構成される。セカンダリーセルグループは１つのプライマリーセカンダリーセルと０個以上のセカンダリーセルで構成される。
【００２６】
本実施形態の無線通信システムは、ＴＤＤ（Time Division Duplex）および／またはＦＤＤ（Frequency Division Duplex）が適用されてよい。複数のセルの全てに対してＴＤＤ（Time Division Duplex）方式またはＦＤＤ（Frequency Division Duplex）方式が適用されてもよい。また、ＴＤＤ方式が適用されるセルとＦＤＤ方式が適用されるセルが集約されてもよい。
【００２７】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称する。
【００２８】
本実施形態の物理チャネルおよび物理信号について説明する。ただし、下りリンク物理チャネルおよび／または下りリンク物理信号を総称して、下りリンク信号と称してもよい。上りリンク物理チャネルおよび／または上りリンク物理信号を総称して、上りリンク信号と称してもよい。下りリンク物理チャネルおよび／または上りリンク物理チャネルを総称して、物理チャネルと称してもよい。下りリンク物理信号および／または上りリンク物理信号を総称して、物理信号と称してもよい。
【００２９】
図１において、端末装置１と基地局装置３の下りリンク無線通信では、以下の下りリンク物理チャネルが用いられる。下りリンク物理チャネルは、上位層から出力された情報を送信するために使用される。
・ＮＲ−ＰＢＣＨ（New Radio Physical Broadcast CHannel）
・ＮＲ−ＰＤＣＣＨ（New Radio Physical Downlink Control CHannel）
・ＮＲ−ＰＤＳＣＨ（New Radio Physical Downlink Shared CHannel）
ＮＲ−ＰＢＣＨは、端末装置１が必要とする重要なシステム情報（Ｅｓｓｅｎｔｉａｌ  ｉｎｆｏｒｍａｔｉｏｎ）を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を基地局装置３が報知するために用いられる。ここで、１つまたは複数の重要情報ブロックは、重要情報メッセージとして送信されてもよい。例えば、重要情報ブロックにはフレーム番号（ＳＦＮ：Ｓｙｓｔｅｍ  Ｆｒａｍｅ  Ｎｕｍｂｅｒ）の一部あるいは全部を示す情報（例えば、複数のフレームで構成されるスーパーフレーム内における位置に関する情報）が含まれてもよい。例えば、無線フレーム（１０ｍｓ）は、１ｍｓのサブフレームの１０個で構成され、無線フレームは、フレーム番号で識別される。フレーム番号は、１０２４で０に戻る（Wrap around）。また、セル内の領域ごとに異なる重要情報ブロックが送信される場合には領域を識別できる情報（例えば、領域を構成する基地局送信ビームの識別子情報）が含まれてもよい。ここで、基地局送信ビームの識別子情報は、基地局送信ビーム（プリコーディング）のインデックスを用いて示されてもよい。また、セル内の領域ごとに異なる重要情報ブロック（重要情報メッセージ）が送信される場合にはフレーム内の時間位置（例えば、当該重要情報ブロック（重要情報メッセージ）が含まれるサブフレーム番号）を識別できる情報が含まれてもよい。すなわち、異なる基地局送信ビームのインデックスが用いられた重要情報ブロック（重要情報メッセージ）の送信のそれぞれが行われるサブフレーム番号のそれぞれを決定するための情報が含まれてもよい。例えば、重要情報には、セルへの接続やモビリティのために必要な情報が含まれてもよい。
【００３０】
ＮＲ−ＰＤＣＣＨは、下りリンクの無線通信（基地局装置３から端末装置１への無線通信）において、下りリンク制御情報（Downlink Control Information: DCI）を送信するために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００３１】
例えば、ＤＣＩとして、スケジューリングされたＮＲ−ＰＤＳＣＨに対するＨＡＲＱ−ＡＣＫを送信するタイミング（例えば、ＮＲ−ＰＤＳＣＨに含まれる最後のシンボルからＨＡＲＱ−ＡＣＫ送信までのシンボル数）示す情報を含むＤＣＩが定義されてもよい。
【００３２】
例えば、ＤＣＩとして、１つのセルにおける１つの下りリンクの無線通信ＮＲ−ＰＤＳＣＨ（１つの下りリンクトランスポートブロックの送信）のスケジューリングのために用いられるＤＣＩが定義されてもよい。
【００３３】
例えば、ＤＣＩとして、１つのセルにおける１つの上りリンクの無線通信ＮＲ−ＰＵＳＣＨ（１つの上りリンクトランスポートブロックの送信）のスケジューリングのために用いられるＤＣＩが定義されてもよい。
【００３４】
ここで、ＤＣＩには、ＮＲ−ＰＤＳＣＨあるいはＮＲ−ＰＵＳＣＨのスケジューリングに関する情報が含まれる。ここで、下りリンクに対するＤＣＩを、下りリンクグラント（downlink grant）、または、下りリンクアサインメント（downlink assignment）とも称する。ここで、上りリンクに対するＤＣＩを、上りリンクグラント（uplink grant）、または、上りリンクアサインメント（Uplink assignment）とも称する。
【００３５】
ＮＲ−ＰＤＳＣＨは、媒介アクセス（MAC: Medium Access Control）からの下りリンクデータ（DL-SCH: Downlink Shared CHannel）の送信に用いられる。また、システム情報（SI: System Information）やランダムアクセス応答（RAR: Random Access Response）などの送信にも用いられる。
【００３６】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、ＭＡＣ（Medium Access Control）層において、ＭＡＣコントロールエレメントを送受信してもよい。ここで、ＲＲＣシグナリング、および／または、ＭＡＣコントロールエレメントを、上位層の信号（higher layer signaling）とも称する。ここでの上位層は、物理層から見た上位層を意味するため、ＭＡＣ層、ＲＲＣ層、ＲＬＣ層、ＰＤＣＰ層、ＮＡＳ層などの一つまたは複数を含んでもよい。例えば、ＭＡＣ層の処理において上位層とは、ＲＲＣ層、ＲＬＣ層、ＰＤＣＰ層、ＮＡＳ層などの一つまたは複数を含んでもよい。
【００３７】
ＮＲ−ＰＤＳＣＨは、ＲＲＣシグナリング、および、ＭＡＣコントロールエレメント（MAC CE: Medium Access Control Control Element）を送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、端末装置固有（ＵＥスペシフィック）な情報は、ある端末装置１に対して専用のシグナリングを用いて送信されてもよい。
【００３８】
ＮＲ−ＰＲＡＣＨは、ランダムアクセスプリアンブルを送信するために用いられてもよい。ＮＲ−ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、およびＮＲ−ＰＵＳＣＨ（ＵＬ−ＳＣＨ）リソースの要求を示すために用いられてもよい。
【００３９】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・参照信号（Reference Signal: RS）
同期信号は、端末装置１が下りリンクの周波数領域および時間領域の同期をとるために用いられる。同期信号は、プライマリ同期信号（ＰＳＳ：Primary Synchronization Signal）およびセカンダリ同期信号（ＳＳＳ）を含んでよい。また、同期信号は、端末装置１がセル識別子（セルＩＤ：Cell Identifier）を特定するために用いられてもよい。また、同期信号は、下りリンクビームフォーミングにおいて基地局装置３が用いる基地局送信ビームおよび／または端末装置１が用いる端末受信ビームの選択／識別／決定に用いられて良い。すなわち、同期信号は、基地局装置３によって下りリンク信号に対して適用された基地局送信ビームのインデックスを、端末装置１が選択／識別／決定するために用いられてもよい。ただし、ＮＲにおいて用いられる同期信号、プライマリ同期信号およびセカンダリ同期信号をそれぞれＮＲ−ＳＳ、ＮＲ−ＰＳＳ、ＮＲ−ＳＳＳと称してもよい。
【００４０】
下りリンクの参照信号（以下、本実施形態では単に参照信号とも記載する）は、用途等に基づいて複数の参照信号に分類されてよい。例えば、参照信号には以下の参照信号の１つまたは複数が用いられてよい。
【００４１】
・ＤＭＲＳ（Demodulation Reference Signal）
・ＣＳＩ−ＲＳ（Channel State Information Reference Signal）
・ＰＴＲＳ（Phase Tracking Reference Signal）
・ＭＲＳ（Mobility Reference Signal）
ＤＭＲＳは、受信した変調信号の復調時の伝搬路補償に用いられてよい。ＤＭＲＳは、ＮＲ−ＰＤＳＣＨの復調用、ＮＲ−ＰＤＣＣＨの復調用、および／またはＮＲ−ＰＢＣＨの復調用のＤＭＲＳを総じてＤＭＲＳと称してもよいし、それぞれ個別に定義されてもよい。
【００４２】
ＣＳＩ−ＲＳは、チャネル状態測定に用いられてよい。ＰＴＲＳは、端末の移動等により位相をトラックするために使用されてよい。ＭＲＳは、ハンドオーバのための複数の基地局装置からの受信品質を測定するために使用されてよい。
【００４３】
また、参照信号には、位相雑音を補償するための参照信号が定義されてもよい。
【００４４】
ただし、上記複数の参照信号の少なくとも一部は、他の参照信号がその機能を有してもよい。
【００４５】
また、上記複数の参照信号の少なくとも１つ、あるいはその他の参照信号が、セルに対して個別に設定されるセル固有参照信号（Ｃｅｌｌ−ｓｐｅｃｉｆｉｃ  ｒｅｆｅｒｅｎｃｅ  ｓｉｇｎａｌ；ＣＲＳ）、基地局装置３あるいは送受信点４が用いる送信ビーム毎のビーム固有参照信号（Ｂｅａｍ−ｓｐｅｃｉｆｉｃ  ｒｅｆｅｒｅｎｃｅ  ｓｉｇｎａｌ；ＢＲＳ）、および／または、端末装置１に対して個別に設定される端末固有参照信号（ＵＥ−ｓｐｅｃｉｆｉｃ  ｒｅｆｅｒｅｎｃｅ  ｓｉｇｎａｌ；ＵＲＳ）として定義されてもよい。
【００４６】
また、参照信号の少なくとも１つは、無線パラメータやサブキャリア間隔などのヌメロロジーやＦＦＴの窓同期などができる程度の細かい同期（Fine synchronization）に用いられて良い。
【００４７】
また、参照信号の少なくとも１つは、無線リソース測定（ＲＲＭ：Radio Resource Measurement）に用いられてよい。また、参照信号の少なくとも１つは、ビームマネジメントに用いられてよい。
【００４８】
また、参照信号の少なくとも１つには、同期信号が用いられてもよい。
【００４９】
図１において、端末装置１と基地局装置３の上りリンク無線通信（端末装置１から基地局装置３の無線通信）では、以下の上りリンク物理チャネルが用いられる。上りリンク物理チャネルは、上位層から出力された情報を送信するために使用される。
・ＮＲ−ＰＵＣＣＨ（New Radio Physical Uplink Control CHannel）
・ＮＲ−ＰＵＳＣＨ（New Radio Physical Uplink Shared CHannel）
・ＮＲ−ＰＲＡＣＨ（New Radio Physical Random Access CHannel）
ＮＲ−ＰＵＣＣＨは、上りリンク制御情報（Uplink Control Information: UCI）を送信するために用いられる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含まれてもよい。ＨＡＲＱ−ＡＣＫは、下りリンクデータ（Transport block, Medium Access Control Protocol Data Unit: MAC PDU, Downlink-Shared Channel: DL-SCH）に対するＨＡＲＱ−ＡＣＫを示してもよい。
【００５０】
ＮＲ−ＰＵＳＣＨは、媒介アクセス（MAC: Medium Access Control）からの上りリンクデータ（UL-SCH: Uplink Shared CHannel）の送信に用いられる。また、上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００５１】
ＮＲ−ＰＵＳＣＨは、ＲＲＣシグナリング、および、ＭＡＣコントロールエレメントを送信するために用いられてもよい。ここで、ＮＲ−ＰＵＳＣＨは、上りリンクに置いてＵＥの能力（UE Capability）の送信に用いられてもよい。
【００５２】
なお、ＮＲ−ＰＤＣＣＨとＮＲ−ＰＵＣＣＨには同一の呼称（例えばＮＲ−ＰＣＣＨ）および同一のチャネル定義が用いられてもよいし。ＮＲ−ＰＤＳＣＨとＮＲ−ＰＵＳＣＨには同一の呼称（例えばＮＲ−ＰＳＣＨ）および同一のチャネル定義が用いられてもよい。
【００５３】
以下、サブフレームについて説明する。本実施形態ではサブフレームと称するが、リソースユニット、無線フレーム、時間区間、時間間隔などと称されてもよい。
【００５４】
図２は、本発明の実施形態に係る下りリンクスロットの概略構成の一例を示す図である。無線フレームのそれぞれは、１０ｍｓ長である。また、無線フレームのそれぞれは１０個のサブフレームおよびＸ個のスロットから構成される。つまり、１サブフレームの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Normal Cyclic Prefix）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。図２は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。
【００５５】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下りリンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００５６】
リソースブロックは、ある物理下りリンクチャネル（ＰＤＳＣＨなど）あるいは上りリンクチャネル（ＰＵＳＣＨなど）のリソースエレメントのマッピングを表現するために用いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。スロットに含まれるＯＦＤＭシンボル数Ｘ＝７で、ＮＣＰの場合には、１つの物理リソースブロックは、時間領域において７個の連続するＯＦＤＭシンボルと周波数領域において１２個の連続するサブキャリアとから定義される。つまり、１つの物理リソースブロックは、（７×１２）個のリソースエレメントから構成される。ＥＣＰ（Extended CP）の場合、１つの物理リソースブロックは、例えば、時間領域において６個の連続するＯＦＤＭシンボルと、周波数領域において１２個の連続するサブキャリアとにより定義される。つまり、１つの物理リソースブロックは、（６×１２）個のリソースエレメントから構成される。このとき、１つの物理リソースブロックは、時間領域において１つのスロットに対応し、周波数領域において１８０ｋＨｚに対応する。物理リソースブロックは、周波数領域において０から番号が付けられている。
【００５７】
次に、サブフレーム、スロット、ミニスロットについて説明する。図３は、サブフレーム、スロット、ミニスロットの時間領域における関係を示した図である。同図のように、３種類の時間ユニットが定義される。サブフレームは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレームには１４ＯＦＤＭシンボル含まれる。そのため、スロット長は、サブキャリア間隔をΔｆ（ｋＨｚ）とすると、１スロットを構成するＯＦＤＭシンボル数が７の場合、スロット長は０．５／（Δｆ／１５）ｍｓで定義されてよい。ここで、Δｆはサブキャリア間隔（ｋＨｚ）で定義されてよい。また、１スロットを構成するＯＦＤＭシンボル数が７の場合、スロット長は１／（Δｆ／１５）ｍｓで定義されてよい。ここで、Δｆはサブキャリア間隔（ｋＨｚ）で定義されてよい。さらに、スロットに含まれるＯＦＤＭシンボル数をＸとしたときに、スロット長はＸ／１４／（Δｆ／１５）ｍｓで定義されてもよい。
【００５８】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでよい。
【００５９】
図４に、スロットまたはサブフレームの一例を示している。ここでは、サブキャリア間隔１５ｋＨｚにおいてスロット長が０．５ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクパート（デュレーション）
・ギャップ
・上りリンクパート（デュレーション）のうち１つまたは複数を含んでよい。
【００６０】
図４（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図４（ｂ）は、最初の時間リソースで例えばＰＣＣHを介して上りリンクのスケジューリングを行い、ＰＣＣＨの処理遅延及び下りから上りの切り替え時間、送信信号の生成のためのギャップを介して上りリンク信号を送信する。図４（ｃ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介してＰＳＣＨまたはＰＣＣＨの送信に用いられる。ここで、一例としては、上りリンク信号はＨＡＲＱ−ＡＣＫおよび／またはＣＳＩ、すなわちＵＣＩの送信に用いられてよい。図４（ｄ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介して上りリンクのＰＳＣＨおよび／またはＰＣＣＨの送信に用いられる。ここで、一例としては、上りリンク信号は上りリンクデータ、すなわちＵＬ−ＳＣＨの送信に用いられてもよい。図４（ｅ）は、全て上りリンク送信（上りリンクのＰＳＣＨまたはＰＣＣＨ）に用いられている例である。
【００６１】
上述の下りリンクパート、上りリンクパートは、ＬＴＥと同様複数のＯＦＤＭシンボルで構成されてよい。
【００６２】
本発明の実施形態におけるビームフォーミング、ビームマネジメントおよび／またはビームスウィーピングについて説明する。
【００６３】
送信側（下りリンクの場合は基地局装置３であり、上りリンクの場合は端末装置１である）におけるビームフォーミングは、複数の送信アンテナエレメントの各々に対してアナログまたはデジタルで振幅・位相を制御することで任意の方向に高い送信アンテナゲインで信号を送信する方法であり、そのフィールドパターンを送信ビームと称する。また、受信側（下りリンクの場合は端末装置１、上りリンクの場合は基地局装置３である）におけるビームフォーミングは、複数の受信アンテナエレメントの各々に対してアナログまたはデジタルで振幅・位相を制御することで任意の方向に高い受信アンテナゲインで信号を受信する方法であり、そのフィールドパターンを受信ビームと称する。ビームマネジメントは、送信ビームおよび／または受信ビームの指向性合わせ、ビーム利得を獲得するための基地局装置３および／または端末装置１の動作であってよい。
【００６４】
図５に、ビームフォーミングの一例を示す。複数のアンテナエレメントは１つの送信ユニット（TXRU: Transceiver unit）５０に接続され、アンテナエレメント毎の位相シフタ５１によって位相を制御し、アンテナエレメント５２から送信することで送信信号に対して任意の方向にビームを向けることができる。典型的には、ＴＸＲＵ５０がアンテナポートとして定義されてよく、端末装置１においてはアンテナポートのみが定義されてよい。位相シフタ５１を制御することで任意の方向に指向性を向けることができるため、基地局装置３は端末装置１に対して利得の高いビームを用いて通信することができる。
【００６５】
ビームフォーミングは、ヴァーチャライゼーション、プリコーディング、ウェイトの乗算などと称されてもよい。また、単にビームフォーミングを用いて送信された信号そのものを送信ビームと呼んでもよい。
【００６６】
本実施形態では、上りリンク送信のビームフォーミングで端末装置１が使用する送信ビームを上りリンク送信ビーム（UL Tx beam）と称し、上りリンク受信のビームフォーミングで基地局装置３が使用する受信ビームを上りリンク受信ビーム（UL Rx beam）と称する。また、下りリンク送信のビームフォーミングで基地局装置３が使用する送信ビームを下りリンク送信ビーム（DL Tx beam）と称し、下りリンク受信のビームフォーミングで端末装置１が使用する受信ビームを下りリンク受信ビーム（DL Rx beam）と称する。ただし、上りリンク送信ビームと上りリンク受信ビームを総じて上りリンクビーム、下りリンク送信ビームと下りリンク受信ビームを総じて下りリンクビームと称してもよい。ただし、上りリンクビームフォーミングのために端末装置１が行う処理を上りリンク送信ビーム処理、または上りリンクプリコーディングと称し、上りリンクビームフォーミングのために基地局装置３が行う処理を上りリンク受信ビーム処理と称してもよい。ただし、下りリンクビームフォーミングのために端末装置１が行う処理を下りリンク受信ビーム処理と称し、下りリンクビームフォーミングのために基地局装置３が行う処理を下りリンク送信ビーム処理または下りリンクプリコーディングと称してもよい。
【００６７】
ただし、１ＯＦＤＭシンボルで基地局装置３が複数の下りリンク送信ビームを用いて信号を送信してもよい。例えば、基地局装置３のアンテナエレメントをサブアレーに分割して各サブアレーで異なる下りリンクビームフォーミングを行ってもよい。偏波アンテナを用いて各偏波で異なる下りリンクビームフォーミングを行ってもよい。同様に１ＯＦＤＭシンボルで端末装置１が複数の上りリンク送信ビームを用いて信号を送信してもよい。
【００６８】
ただし、本実施形態では、基地局装置３および／または送受信点４が構成するセル内で当該基地局装置３が複数の下りリンク送信ビームを切り替えて使用する場合を説明するが、下りリンク送信ビーム毎に個別のセルが構成されてもよい。
【００６９】
ビームマネジメントには、下記の動作を含んでよい。
・ビーム選択（Beam selection）
・ビーム改善（Beam refinement）
・ビームリカバリ（Beam recovery）
例えば、ビーム選択は、基地局装置３と端末装置１の間の通信においてビームを選択する動作であってよい。また、ビーム改善は、さらに利得の高いビームの選択、あるいは端末装置１の移動によって最適な基地局装置３と端末装置１の間のビームの変更をする動作であってよい。ビームリカバリは、基地局装置３と端末装置１の間の通信において遮蔽物や人の通過などにより生じるブロッケージにより通信リンクの品質が低下した際にビームを再選択する動作であってよい。上記の動作は、上記の目的に限定されない。基地局装置３は、さまざまな状況でビームマネジメントを行うため、目的を限定しなくても、効果を発揮しうる。
【００７０】
例えば、端末装置１における基地局装置３の送信ビームを選択する際に参照信号（例えば、ＣＳＩ−ＲＳ）を用いてもよいし、擬似同位置（ＱＣＬ：Quasi Co-Location）想定を用いてもよい。
【００７１】
もしあるアンテナポートにおけるあるシンボルが搬送されるチャネルの長区間特性（Long Term Property）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００７２】
このＱＣＬは、ビームマネジメントにも拡張されうる。そのために、空間に拡張したＱＣＬが新たに定義されてもよい。例えば、空間のＱＣＬ想定におけるチャネルの長区間特性（Long term property）として、以下の一つまたは複数を、上記に加えてさらに含んでもよい。
・無線リンクあるいはチャネルにおける到来角（AoA（Angle of Arrival）, ZoA（Zenith angle of Arrival）など）および／またはその角度広がり（Angle Spread、例えばASA（Angle Spread of Arrival）やZSA（Zenith angle Spread of Arrival））、
・無線リンクあるいはチャネルにおける送出角（AoD, ZoDなど）および／またはその角度広がり（Angle Spread、例えばASD（Angle Spread of Departure）やZSS（Zenith angle Spread of Departure））、
・空間相関（Spatial Correlation）。
【００７３】
この方法により、ビームマネジメントとして、空間のＱＣＬ想定と無線リソース（時間および／または周波数）によりビームマネジメントと等価な基地局装置３、端末装置１の動作が定義されてもよい。
【００７４】
ただし、プリコーディングあるいは送信ビームの各々に対してアンテナポートが割り当てられてもよい。例えば、本実施形態に係る異なるプリコーディングを用いて送信される信号あるいは異なる送信ビームを用いて送信される信号は異なる一つまたは複数のアンテナポートで送信される信号として定義されてもよい。ただし、アンテナポートは、あるアンテナポートであるシンボルが送信されるチャネルを、同一のアンテナポートで別のシンボルが送信されるチャネルから推定できるものとして定義される。同一のアンテナポートとは、アンテナポートの番号（アンテナポートを識別するための番号）が、同一であることであってもよい。複数のアンテナポートでアンテナポートセットが構成されてもよい。同一のアンテナポートセットとは、アンテナポートセットの番号（アンテナポートセットを識別するための番号）が、同一であることであってもよい。異なる端末送信ビームを適用して信号を送信するとは、異なるアンテナポートまたは複数のアンテナポートで構成される異なるアンテナポートセットで信号を送信することであってもよい。ビームインデックスはそれぞれＯＦＤＭシンボル番号、アンテナポート番号またはアンテナポートセット番号であってもよい。
【００７５】
トランスフォームプリコーディングには、レイヤマッピングで生成された、一つまたは複数のレイヤに対する複素変調シンボルが入力される。トランスフォームプリコーディングは、複素数シンボルのブロックを、一つのＯＦＤＭシンボルに対応するそれぞれのレイヤごとのセットに分割する処理であってもよい。ＯＦＤＭが使われる場合には、トランスフォームプリコーディングでのＤＦＴ（Discrete Fourier Transform）の処理は必要ないかもしれない。プリコーディングは、トランスフォームプリコーダからの得られたベクターのブロックを入力として、リソースエレメントにマッピングするベクターのブロックを生成することであってもよい。空間多重の場合、リソースエレメントにマッピングするベクターのブロックを生成する際に、プリコーディングマトリックスの一つを適応してもよい。この処理を、デジタルビームフォーミングと呼んでもよい。また、プリコーディングは、アナログビームフォーミングとデジタルビームフォーミングを含んで定義されてもよいし、デジタルビームフォーイングとして定義されてもよい。プリコーディングされた信号にビームフォーミングが適用されるようにしてもよいし、ビームフォーミングが適用された信号にプリコーディングが適用されるようにしてもよい。ビームフォーミングは、アナログビームフォーミングを含んでデジタルビームフォーミングを含まなくてもよいし、デジタルビームフォーミングとアナログビームフォーミングの両方を含んでもよい。ビームフォーミングされた信号、プリコーディングされた信号、またはビームフォーミングおよびプリコーディングされた信号をビームと呼んでもよい。ビームのインデックスはプレコーディングマトリックスのインデックスでもよい。ビームのインデックスとプリコーディングマトリックスのインデックスが独立に定義されてもよい。ビームのインデックスで示されたビームにプリコーディングマトリックスのインデックスで示されるプリコーディングマトリックスを適用して信号を生成してもよい。プリコーディングマトリックスのインデックスで示されるプリコーディングマトリックスを適用した信号に、ビームのインデックスで示されたビームフォーミングを適用して信号を生成してもよい。デジタルビームフォーミングは、周波数方向のリソース（例えば、サブキャリアのセット）に異なるプリコーディングマトリックス適応することかもしれない。
【００７６】
ただし、本実施形態では、所定の送信ビームおよび／または所定の受信ビームを用いて構成される無線リンクをビームペアリンクと称してもよい。例えば、下りリンクにおいて、異なる下りリンク送信ビームおよび／または異なる下りリンク受信ビームを用いて構成されるビームペアリンクを、異なる下りリンクビームペアリンクとしてもよい。例えば、上りリンクにおいて、異なる上りリンク送信ビームおよび／または異なる上りリンク受信ビームを用いて構成されるビームペアリンクを、異なる上りリンクビームペアリンクとしてもよい。例えば、端末装置１があるセルにおいて複数の下りリンク送信ビームおよび／または複数の下りリンク受信ビームを用いて下りリンク信号を受信しうる状態を、複数の下りリンクビームペアリンクを有する状態と称してもよい。例えば、端末装置１があるセルにおいて複数の上りリンク送信ビームおよび／または複数の上りリンク受信ビームを用いて上りリンク信号を送信しうる状態を、複数の上りリンクビームペアリンクを有する状態と称してもよい。
【００７７】
本実施形態における下りリンクビームペアリンク（beam pair link）の概念について説明する。
【００７８】
図６は、端末装置１と基地局装置３がセル１００において複数の下りリンクビームペアリンクを構成している場合を示している。第１の下りリンクビームペアリンクとして、基地局装置３から下りリンク送信ビームｔ１を用いて送信される下りリンク信号に対して端末装置１は下りリンク受信ビームｒ１を用いて受信する。第２の下りリンクビームペアリンクとして、基地局装置３から下りリンク送信ビームｔ２を用いて送信される下りリンク信号に対して端末装置１は下りリンク受信ビームｒ２を用いて受信する。第３の下りリンクビームペアリンクとして、基地局装置３から下りリンク送信ビームｔ３を用いて送信される下りリンク信号に対して端末装置１は下りリンク受信ビームｒ３を用いて受信する。この場合、端末装置１と基地局装置３の間には３つの下りリンクビームペアリンクが構成されており、３つの下りリンクビームペアリンクの全てあるいは一部で下りリンクの送受信が行われる。例えば、端末装置１は各下りリンクビームペアリンクにおいて参照信号による受信電力および／または受信品質の測定を行なう。
【００７９】
ただし、１つの下りリンク送信ビームに対して、複数の下りリンク受信ビームを用いて複数の下りリンクビームペアリンクが構成されてもよい。ただし、１つの下りリンク受信ビームに対して、複数の下りリンク送信ビームを用いて複数の下りリンクビームペアリンクが構成されてもよい。ただし、用いられる下りリンク受信ビームに関わらず、１つの下りリンク送信ビームに対して１つの下りリンクビームペアリンクが対応付けられてもよい。ただし、用いられる上りリンク送信ビームに関わらず、１つの上りリンク受信ビームに対して１つの上りリンクビームペアリンクが対応付けられてもよい。
【００８０】
本実施形態における下りリンク無線リンク（radio link）（単に無線リンクと称してもよい）の概念について説明する。
【００８１】
本実施形態における下りリンク無線リンクは、サービングセル毎に１つのみ構成されてもよい。下りリンク無線リンクは、ビームに関連付けられた下りリンクビームペアリンクとは独立に、サービングセルに関連付けられた下りリンク無線リンクを意味してもよい。ただし、下りリンク無線リンクは、当該サービングセルにおいてある端末装置１に対して構成されている複数の下りリンクビームペアリンクのうちの１つであってもよい。ただし、下りリンク無線リンクは、当該サービングセルにおいてある端末装置１に対して構成されている複数の下りリンクビームペアリンクのうちの２つ以上に関連付けられていてもよい。例えば、端末装置１は、１つの下りリンク無線リンクにおいて、複数の参照信号による複数の受信電力および／または受信品質の測定を行なってもよい。
【００８２】
本実施形態におけるＮＲ−ＰＤＣＣＨのモニタリングについて説明する。
【００８３】
図７は、本実施形態に係る基地局装置３における下りリンク制御チャネルの送信の一例を示すフロー図である。基地局装置３は、端末装置へ送信する複数の参照信号を生成する（Ｓ１００１）。基地局装置３は、複数の参照信号の各々に関連付けられた複数の下りリンク制御チャネル領域（例えばサーチスペースと称されてもよい）のそれぞれのリソースを示す第１の情報を含む信号を送信する（Ｓ１００２）。ただし、第１の情報を含む信号はＲＲＣメッセージであってもよい。基地局装置３は、複数の下りリンク制御チャネル領域のうちの１つまたは複数を指示する第２の情報を含む信号を送信する（Ｓ１００３）。ただし、第２の情報を含む信号はＭＡＣ  ＣＥであってもよい。基地局装置３は、第１の情報と第２の情報に基づく下りリンク制御チャネル領域のリソースで下りリンク制御チャネルを送信する（Ｓ１００４）。
【００８４】
図８は、本実施形態に係る端末装置１における下りリンク制御チャネルのモニタリングの一例を示すフロー図である。端末装置１は、複数の参照信号の各々に関連付けられた複数の下りリンク制御チャネル領域（例えばサーチスペースと称されてもよい）のそれぞれのリソースを示す第１の情報を含む信号を受信する（Ｓ２００１）。端末装置１は、複数の下りリンク制御チャネル領域のうちの１つまたは複数を設定する第２の情報を含む信号を受信する（Ｓ２００２）。端末装置１は、第１の情報と第２の情報に基づく下りリンク制御チャネル領域のリソースで下りリンク制御チャネルをデコードするためにモニタする（Ｓ２００３）。
【００８５】
ただし、基地局装置３のＲＲＣレイヤは、端末装置１に対して、１つまたは複数のサーチスペースの候補を設定するパラメータと１つまたは複数のサーチスペースの候補のそれぞれを示すインデックスを含むＲＲＣメッセージを送信してもよい。ただし、端末装置１は、基地局装置３のＲＲＣレイヤから１つまたは複数のサーチスペースの候補を設定するパラメータと１つまたは複数のサーチスペースの候補のそれぞれを示すインデックスを含むＲＲＣメッセージを受信してもよい。それぞれのサーチスペースの候補は、時間、周波数、および／または、ＱＣＬなどのパラメータで設定されてもよい。それぞれのサーチスペースの候補は、ＱＣＬなどの情報に基づいて、１つまたは複数の参照信号（例えば、ノンゼロパワーＣＳＩ−ＲＳなど）に関連付けられてもよい。ただし、それぞれのサーチスペースの候補は、時間、周波数、および／または、ＱＣＬなどのパラメータで設定されてもよい。それぞれのサーチスペースの候補は、ＱＣＬなどの情報に基づいて、１つまたは複数の参照信号（例えば、ノンゼロパワーＣＳＩ−ＲＳなど）に関連付けられてもよい。ただし、それぞれのサーチスペースの候補は、それぞれビームペアリンクに関連付けられていてもよい。１つまたは複数のサーチスペースの候補を設定するＲＲＣメッセージを受信した端末装置１は、ＮＲ−ＰＤＣＣＨをモニタすべき１つまたは複数のサーチスペースを特定するための情報を受信することに応じて、該ＮＲ−ＰＤＣＣＨをモニタすべき１つまたは複数のサーチスペースを活性化してもよい。
【００８６】
ただし、基地局装置３のＭＡＣレイヤは、端末装置１がＮＲ−ＰＤＣＣＨをモニタすべき１つまたは複数のサーチスペースを決定し、該ＮＲ−ＰＤＣＣＨをモニタすべき１つまたは複数のサーチスペースを特定するための情報を該端末装置１に通知してもよい。ただし、端末装置１のＭＡＣエンティティは、基地局装置３のＭＡＣレイヤから、端末装置１が該モニタすべき１つまたは複数のＮＲ−ＰＤＣＣＨのサーチスペースを特定するための情報を受信してもよい。該モニタすべき１つまたは複数のＮＲ−ＰＤＣＣＨのサーチスペースを特定するための情報は、ＭＡＣコントロールエレメントにて送信されてもよい。該端末装置１は、該モニタすべき１つまたは複数のＮＲ−ＰＤＣＣＨのサーチスペースを特定するための情報を受信することに応じて、該モニタすべき１つまたは複数のＮＲ−ＰＤＣＣＨのサーチスペースを活性化してもよい。
【００８７】
ただし、端末装置１がＮＲ−ＰＤＣＣＨをモニタすべき１つまたは複数のサーチスペースは、基地局装置３のＲＲＣレイヤが通知した複数のサーチスペースの候補のインデックスそれぞれにビットが対応付けられたビットマップ情報により示されてもよい。このビットマップ情報によって、活性化されたサーチスペースを、端末装置１がモニタするようにしてもよい。
【００８８】
以下、端末装置１によるビームペアリンク監視（beam pair link monitoring）について説明する。以下では、下りリンクビームペアリンクを単にビームペアリンクと称して説明するが、上りリンクビームペアリンクに対して同様の方法が適用されてもよい。
【００８９】
本実施形態の端末装置１は、１つまたは複数のビームペアリンクの質（quality）（例えば、ビームペアリンククオリティや下りリンクビームペアリンククオリティと称してもよい）をモニタする。ただし、端末装置１が質をモニタする１つまたは複数のビームペアリンクは、端末装置１が基地局装置３から送信されるＮＲ−ＰＤＣＣＨをモニタするビームペアリンクであってもよい。ただし、端末装置１は、プライマリーセルにおける１つまたは複数のビームペアリンク、プライマリーセカンダリーセルにおける１つまたは複数のビームペアリンク、および／または、セカンダリーセルにおける１つまたは複数のビームペアリンクをモニタしてもよい。ただし、端末装置１が質をモニタする１つまたは複数のビームペアリンクは、端末装置１が基地局装置３基地局装置３から、ＭＡＣ  ＣＥ、ＲＲＣおよび／またはＤＣＩを用いて指示されてもよい。端末装置１は、ＮＲ−ＰＤＣＣＨをモニタすべき１つまたは複数のサーチスペースが設定（または活性化）されることに基づいて、それぞれのサーチスペースに対応する１つまたは複数のビームペアリンクをモニタするようにしてもよい。
【００９０】
端末装置１は、あるビームペアリンクのビームペアリンククオリティを検出するために、当該ビームペアリンクに対応した参照信号に基づいてビームペアリンククオリティをモニタする。
【００９１】
ただし、あるビームペアリンクのビームペアリンククオリティをモニタするための参照信号は、当該ビームペアリンクに対応したＮＲ−ＰＤＣＣＨを復号するための参照信号であってもよい。
【００９２】
ただし、あるビームペアリンクのビームペアリンククオリティをモニタするための参照信号は、当該ビームペアリンクに関連付けられたＣＳＩ−ＲＳ（例えば、ノンゼロパワーＣＳＩ−ＲＳなど）であってもよい。例えば、あるビームペアリンクのビームペアリンククオリティをモニタするためのＣＳＩ−ＲＳは、当該ビームペアリンクに対応する送信ビームが適用されたＣＳＩ−ＲＳであってもよい。
【００９３】
端末装置１は、所定のタイミング（例えば、無線フレーム毎（every radio frame）であってもよい）で過去一定期間（over the previous time period）のあるビームペアリンククオリティを評価する。
【００９４】
ただし、端末装置１があるビームペアリンクにおいて評価するビームペアリンククオリティは、対応するビームペアリンクにおいて基地局装置３が用いる下りリンク送信ビームに対して、端末装置１が適用可能な１つまたは複数の受信ビームのうち最も質が良い受信ビームを用いた場合の値であってよい。
【００９５】
端末装置１は、１つの評価したビームペアリンククオリティを１つまたは複数の閾値と比較して査定（assess）してもよい。そのような１つまたは複数の閾値は、対応するサーチスペースの候補の設定パラメータの中に含められているかもしれない。
【００９６】
端末装置１の物理レイヤは、過去一定期間のビームペアリンククオリティが閾値Ｑ１より悪くなった場合に、モニタしたビームペアリンクが「ビーム同期外れ（beam out-of-sync）」になったと判断してもよい。端末装置１の物理レイヤは、過去一定期間のビームペアリンククオリティが閾値Ｑ１より悪くなった場合に、上位レイヤに対してモニタしたビームペアリンクの「ビーム同期外れ（beam out-of-sync）」の通知（indication）を送ってもよい（send）。
【００９７】
端末装置１の物理レイヤは、過去一定期間のビームペアリンククオリティが閾値Ｑ１より悪くなった場合に、モニタしたビームペアリンクの受信ビームを変更してもよい。端末装置１の物理レイヤは、端末装置１が適用可能な１つまたは複数の受信ビームの何れを用いた場合においても過去一定期間のビームペアリンククオリティが閾値Ｑ１より悪くなった場合に、モニタしたビームペアリンクが「ビーム同期外れ（beam out-of-sync）」になったと判断してもよい。端末装置１の物理レイヤは、端末装置１が適用可能な１つまたは複数の受信ビームの何れを用いた場合においても過去一定期間のビームペアリンククオリティが閾値Ｑ１より悪くなった場合に、上位レイヤに対してモニタしたビームペアリンクの「ビーム同期外れ（beam out-of-sync）」の通知を送ってもよい。
【００９８】
端末装置１の物理レイヤは、過去一定期間のビームペアリンククオリティが閾値Ｑ２より良くなった場合に、モニタしたビームペアリンクが「ビーム同期内（beam in-sync）」になったと判断してもよい。端末装置１の物理レイヤは、過去一定期間のビームペアリンククオリティが閾値Ｑ２より良くなった場合に、上位レイヤに対してモニタしたビームペアリンクの「ビーム同期内（beam in-sync）」の通知を送ってもよい。
【００９９】
端末装置１は、複数の評価したビームペアリンククオリティを１つまたは複数の閾値と比較して査定してもよい。そのような１つまたは複数の閾値は、対応するサーチスペースの候補の設定パラメータの中に含められているかもしれない。
【０１００】
端末装置１の物理レイヤは、複数のビームペアリンクのうち所定の数のビームペアリンクが過去一定期間において閾値Ｑ１より悪くなった場合に、「ビーム同期外れ」になったと判断してもよい。端末装置１の物理レイヤは、複数のビームペアリンクのうち所定の数のビームペアリンクが過去一定期間において閾値Ｑ１より悪くなった場合に、上位レイヤに対して「ビーム同期外れ」の通知を送ってもよい。
【０１０１】
端末装置１の物理レイヤは、複数のビームペアリンクのうち所定の数のビームペアリンクが過去一定期間において閾値Ｑ２より良くなった場合に、「ビーム同期内」になったと判断してもよい。端末装置１の物理レイヤは、複数のビームペアリンクのうち所定の数のビームペアリンクが過去一定期間において閾値Ｑ２より良くなった場合に、上位レイヤに対して「ビーム同期内」の通知を送ってもよい。
【０１０２】
ただし、閾値Ｑ１はＮＲ−ＰＤＣＣＨ送信を安全に受信できない（例えば、ＮＲ−ＰＤＣＣＨをブロック誤り率１０％以下で受信できない）水準を示す値であってもよい。ただし、閾値Ｑ２はＮＲ−ＰＤＣＣＨ送信を十分安全に受信できる（例えば、ＮＲ−ＰＤＣＣＨをブロック誤り率２％以下で受信できる）水準を示す値であってもよい。
【０１０３】
ただし、端末装置１の物理レイヤは、過去一定期間のビームペアリンククオリティに関する値を上位レイヤに送ってもよい。ただし、過去一定期間のビームペアリンククオリティに関する値は、対応するビームペアリンクで受信した参照信号の受信電力（RSRP: Reference Signal Received PowerやL1-RSRPなどと称される）であってもよい。
【０１０４】
以下、端末装置１によるビームペアリンク失敗（BPLF: Beam Pair Link Failure）に関する動作を説明する。
【０１０５】
本実施形態に係る端末装置１のＲＲＣレイヤは下記のような動作を行なってもよい。
【０１０６】
端末装置１のＲＲＣレイヤは、下位レイヤから「ビーム同期外れ」の通知を連続してＮ１回受けた場合に、ＮＲ−ＰＤＣＣＨをモニタしている１つまたは複数のビームペアリンク（NR-PDCCH monitoring setと称してもよい）でビームペアリンク失敗が検出されたものと見なしてもよい（consider）。
【０１０７】
端末装置１のＲＲＣレイヤは、あるタイミングにおいて、ＮＲ−ＰＤＣＣＨをモニタしている１つまたは複数のビームペアリンクのうち、下位レイヤから「ビーム同期外れ」の通知を連続してＮ１回以上受けたビームペアリンクの数が一定数以上になった場合に、ＮＲ−ＰＤＣＣＨをモニタしている１つまたは複数のビームペアリンクでビームペアリンク失敗が検出されたものと見なしてもよい。
【０１０８】
端末装置１のＲＲＣレイヤは、下位レイヤから「ビーム同期外れ」の通知を連続してＮ１回受けた場合に、第１のタイマーをスタートしてもよい。端末装置１のＲＲＣレイヤは、下位レイヤから「ビーム同期内」の通知を連続してＮ２回受けた場合に、第１のタイマーをストップしてもよい。
【０１０９】
端末装置１のＲＲＣレイヤは、あるタイミングにおいて、ＮＲ−ＰＤＣＣＨをモニタしている１つまたは複数のビームペアリンクのうち、下位レイヤから「ビーム同期外れ」の通知を連続してＮ１回以上受けたビームペアリンクの数が一定数以上になった場合に、第１のタイマーをスタートしてもよい。端末装置１のＲＲＣレイヤは、あるタイミングにおいて、ＮＲ−ＰＤＣＣＨをモニタしている１つまたは複数のビームペアリンクのうち、下位レイヤから「ビーム同期内」の通知を連続してＮ２回以上受けたビームペアリンクの数が一定数以上になった場合に、第１のタイマーをストップしてもよい。
【０１１０】
端末装置１のＲＲＣレイヤは、第１のタイマーが満了（expiry）した場合に、ＮＲ−ＰＤＣＣＨをモニタしている１つまたは複数のビームペアリンク（NR-PDCCH monitoring setと称してもよい）でビームペアリンク失敗が検出されたものと見なしてもよい（consider）。
【０１１１】
端末装置１のＲＲＣレイヤは、あるタイミングにおいて、ＮＲ−ＰＤＣＣＨをモニタしている１つまたは複数のビームペアリンクの全てにおいて、下位レイヤから「ビーム同期外れ」の通知を連続してＮ３回以上受けた場合に、第２のタイマーをスタートしてもよい。端末装置１のＲＲＣレイヤは、あるタイミングにおいて、ＮＲ−ＰＤＣＣＨをモニタしている１つまたは複数のビームペアリンクの内、下位レイヤから「ビーム同期内」の通知を連続してＮ４回以上受けたビームペアリンクの数が一定数以上になった場合に、第２のタイマーをストップしてもよい。端末装置１のＲＲＣレイヤは、第２のタイマーが満了した場合に、ＮＲ−ＰＤＣＣＨをモニタしている１つまたは複数のビームペアリンクで無線リンク失敗が検出されたものと見なしてもよい。
【０１１２】
本実施形態に係る端末装置１のＭＡＣレイヤは下記のような動作を行なってもよい。
【０１１３】
端末装置１のＭＡＣレイヤは、下位レイヤから「ビーム同期外れ」の通知を連続してＮ１回受けた場合に、ＮＲ−ＰＤＣＣＨをモニタしている１つまたは複数のビームペアリンク（NR-PDCCH monitoring setと称してもよい）でビームペアリンク失敗が検出されたものと見なしてもよい（consider）。端末装置１のＭＡＣレイヤは、下位レイヤから「ビーム同期外れ」の通知を連続してＮ１回受けた場合に、ビームリカバリ用のＭＡＣ  ＣＥを生成してもよい。
【０１１４】
端末装置１のＭＡＣレイヤは、あるタイミングにおいて、ＮＲ−ＰＤＣＣＨをモニタしている１つまたは複数のビームペアリンクのうち、下位レイヤから「ビーム同期外れ」の通知を連続してＮ１回以上受けたビームペアリンクの数が一定数以上になった場合に、ＮＲ−ＰＤＣＣＨをモニタしている１つまたは複数のビームペアリンクでビームペアリンク失敗が検出されたものと見なしてもよい。端末装置１のＭＡＣレイヤは、あるタイミングにおいて、ＮＲ−ＰＤＣＣＨをモニタしている１つまたは複数のビームペアリンクのうち、下位レイヤから「ビーム同期外れ」の通知を連続してＮ１回以上受けたビームペアリンクの数が一定数以上になった場合に、ビームリカバリ用のＭＡＣ  ＣＥを生成してもよい。
【０１１５】
端末装置１のＭＡＣレイヤは、下位レイヤから「ビーム同期外れ」の通知を連続してＮ１回受けた場合に、第１のタイマーをスタートしてもよい。端末装置１のＭＡＣレイヤは、下位レイヤから「ビーム同期内」の通知を連続してＮ２回受けた場合に、第１のタイマーをストップしてもよい。
【０１１６】
端末装置１のＭＡＣレイヤは、あるタイミングにおいて、ＮＲ−ＰＤＣＣＨをモニタしている１つまたは複数のビームペアリンクのうち、下位レイヤから「ビーム同期外れ」の通知を連続してＮ１回以上受けたビームペアリンクの数が一定数以上になった場合に、第１のタイマーをスタートしてもよい。端末装置１のＭＡＣレイヤは、あるタイミングにおいて、ＮＲ−ＰＤＣＣＨをモニタしている１つまたは複数のビームペアリンクのうち、下位レイヤから「ビーム同期内」の通知を連続してＮ２回受けたビームペアリンクの数が一定数以上になった場合に、第１のタイマーをストップしてもよい。
【０１１７】
端末装置１のＭＡＣレイヤは、第１のタイマーが満了（expiry）した場合に、ＮＲ−ＰＤＣＣＨをモニタしている１つまたは複数のビームペアリンク（NR-PDCCH monitoring setと称してもよい）でビームペアリンク失敗が検出されたものと見なしてもよい（consider）。端末装置１のＭＡＣレイヤは、第１のタイマーが満了（expiry）した場合に、ビームリカバリ用のＭＡＣ  ＣＥを生成してもよい。
【０１１８】
端末装置１のＭＡＣレイヤは、１つまたは複数のビームペアリンクにそれぞれに対応する過去一定期間のビームペアリンククオリティに関する値を下位レイヤから受けとり、あるタイミングにおいて一定数以上のビームペアリンクのビームペアリンククオリティに関する値が閾値Ｑ３より悪くなった場合に、「ビーム同期外れ」になったと判断してもよい。端末装置１のＭＡＣレイヤは、１つまたは複数のビームペアリンクにそれぞれに対応する過去一定期間のビームペアリンククオリティに関する値を下位レイヤから受けとり、あるタイミングにおいて一定数以上のビームペアリンクのビームペアリンククオリティに関する値が閾値Ｑ４より良くなった場合に、「ビーム同期内」になったと判断してもよい。端末装置１のＭＡＣレイヤは、１つまたは複数のビームペアリンクにそれぞれに対応する過去一定期間のビームペアリンククオリティに関する値を下位レイヤから受けとり、あるタイミングあるいは連続する複数のタイミングにおいて一定数以上のビームペアリンクのビームペアリンククオリティに関する値が閾値Ｑ３より悪くなった場合に、第１のタイマーをスタートしてもよい。端末装置１のＭＡＣレイヤは、１つまたは複数のビームペアリンクにそれぞれに対応する過去一定期間のビームペアリンククオリティに関する値を下位レイヤから受けとり、あるタイミングあるいは連続する複数のタイミングにおいて一定数以上のビームペアリンクのビームペアリンククオリティに関する値が閾値Ｑ４より良くなった場合に、第１のタイマーをストップしてもよい。端末装置１のＭＡＣレイヤは、１つまたは複数のビームペアリンクにそれぞれに対応する過去一定期間のビームペアリンククオリティに関する値を下位レイヤから受けとり、あるタイミングあるいは連続する複数のタイミングにおいて一定数以上のビームペアリンクのビームペアリンククオリティに関する値が閾値Ｑ３より悪くなった場合に、ビームリカバリ用のＭＡＣ  ＣＥを生成してもよい。そのような１つまたは複数の閾値は、対応するサーチスペースの候補の設定パラメータの中に含められているかもしれない。
【０１１９】
ただし、端末装置１のＭＡＣレイヤは、下位レイヤから受けとったビームペアリンククオリティに関する値に対してフィルタリング処理を行なってもよい。端末装置１のＭＡＣレイヤは、１つまたは複数のビームペアリンクに対応するフィルタリング処理後のビームペアリンククオリティに関する値（L2-filtered-RSRPとも称される）のうち、一定数以上があるタイミングにおいて閾値Ｑ５より悪くなった場合に、「ビーム同期外れ」になったと判断してもよい。端末装置１のＭＡＣレイヤは、１つまたは複数のビームペアリンクに対応するフィルタリング処理後のビームペアリンククオリティに関する値のうち、一定数以上があるタイミングにおいて閾値Ｑ６より良くなった場合に、「ビーム同期内」になったと判断してもよい。端末装置１のＭＡＣレイヤは、１つまたは複数のビームペアリンクに対応するフィルタリング処理後のビームペアリンククオリティに関する値のうち、一定数以上があるタイミングまたは連続する複数のタイミングにおいて閾値Ｑ５より悪くなった場合に、第１のタイマーをスタートしてもよい。端末装置１のＭＡＣレイヤは、１つまたは複数のビームペアリンクに対応するフィルタリング処理後のビームペアリンククオリティに関する値のうち、一定数以上があるタイミングまたは連続する複数のタイミングにおいて閾値Ｑ６より良くなった場合に、第１のタイマーをストップしてもよい。端末装置１のＭＡＣレイヤは、１つまたは複数のビームペアリンクに対応するフィルタリング処理後のビームペアリンククオリティに関する値のうち、一定数以上があるタイミングまたは連続する複数のタイミングにおいて閾値Ｑ５より悪くなった場合に、ビームリカバリ用のＭＡＣ  ＣＥを生成してもよい。そのような１つまたは複数の閾値は、対応するサーチスペースの候補の設定パラメータの中に含められているかもしれない。
【０１２０】
本実施形態に係る端末装置１は、ＭＡＣレイヤおよび／またはＲＲＣレイヤにおいて所定の条件となった場合（例えば、ビームペアリンク失敗を検出した場合）に、基地局装置３に対するビームペアリンク状態報告（beam pair link status reporting）をトリガーしてもよい。
【０１２１】
図９は、本実施形態に係る端末装置１におけるビームペアリンク状態報告のトリガリングの一例を示すフロー図である。端末装置１は、下りリンク制御チャネルをモニタする複数のビームペアリンクを設定する（Ｓ３００１）。下りリンク制御チャネルをモニタする複数のビームペアリンクを設定した端末装置１は、該複数のビームペアリンクそれぞれのクオリティをモニタする（Ｓ３００２）。クオリティをモニタした複数のビームペアリンクのうちの所定の数のビームペアリンクにおいてクオリティが低下し、ビームペアリンク失敗を検出した場合に、端末装置１はビームペアリンク状態報告をトリガーする（Ｓ３００３）。トリガーされたビームペアリンク状態報告は、所定の条件を満たした場合にキャンセルされる（Ｓ３００４）。
【０１２２】
ただし、ビームペアリンク状態の報告に用いられる上りリンクリソースは、基地局装置３から割り当てられた物理上りリンク共用チャネル（PUSCH）であってもよい。
【０１２３】
端末装置１は、ビームペアリンク状態報告がトリガーされており、かつキャンセルされていないと判断（determine）した場合、下記の手順を行なってもよい。
・端末装置１のＭＡＣエンティティが新規送信のための上りリンクリソースを持っている場合、端末装置１はビームペアリンク状態報告用のＭＡＣ  ＣＥを生成してもよい。ただし、ビームペアリンク状態報告用のＭＡＣ  ＣＥを生成した端末装置１は、再送用のタイマーを開始またはリスタートしてもよい。
・端末装置１のＭＡＣエンティティが新規送信のための上りリンクリソースを持っておらず、かつ上りリンクグラントが設定されていない場合、端末装置１はビームリカバリ要求をトリガーしてもよい。
【０１２４】
端末装置１は、モニタしているＮＲ−ＰＤＣＣＨのためのビームペアリンクのクオリティが改善された場合に、トリガーされているビームペアリンク状態報告をキャンセルしてもよい。
【０１２５】
端末装置１は、ビームペアリンク状態報告が送信するＭＡＣ  ＰＤＵに含まれている場合にトリガーされているビームペアリンク状態報告をキャンセルしてもよい。
【０１２６】
ただし、ある送信時間区間（TTI: Transmission Time Interval）でＭＡＣエンティティが送信するビームペアリンク状態報告は多くても１つであってもよい。
【０１２７】
本実施形態に係る端末装置１は、ＭＡＣレイヤおよび／またはＲＲＣレイヤにおいて所定の条件となった場合に、基地局装置３に対するビームリカバリ要求（beam recovery request）をトリガーしてもよい。例えば、端末装置１は、ビームペアリンク失敗を検出した場合にビームリカバリ要求をトリガーしてもよい。例えば、端末装置１は、ビームペアリンク状態報告がトリガーされており、かつビームペアリンク状態報告を行なうための上りリンクリソースを持っていない場合に、ビームリカバリ要求をトリガーしてもよい。
【０１２８】
図１０は、本実施形態に係る端末装置１におけるビームリカバリ要求のトリガリングの一例を示すフロー図である。端末装置１は、下りリンク制御チャネルをモニタする複数のビームペアリンクを設定する（Ｓ４００１）。下りリンク制御チャネルをモニタする複数のビームペアリンクを設定した端末装置１は、該複数のビームペアリンクそれぞれのクオリティをモニタする（Ｓ４００２）。クオリティをモニタした複数のビームペアリンクのうちの所定の数のビームペアリンクにおいてクオリティが低下し、ビームペアリンク失敗を検出した場合に、端末装置１はビームリカバリ要求をトリガーする（Ｓ４００３）。トリガーされたビームリカバリ要求は、所定の条件を満たした場合にキャンセルされる（Ｓ４００４）。
【０１２９】
ただし、トリガーされたビームリカバリ要求は、キャンセルされるまでペンディング状態として扱ってよい。
【０１３０】
ただし、ペンディング状態のビームリカバリ要求は、ＮＲ−ＰＤＣＣＨをモニタするビームペアリンクの新しい設定を端末装置１が受信した場合にキャンセルされてもよい。
【０１３１】
ただし、ペンディング状態のビームリカバリ要求は、ＭＡＣ  ＰＤＵがアセンブルされ、かつ該ＰＤＵがビームペアリンク状態報告を含む場合にキャンセルされてもよい。
【０１３２】
ただし、ペンディング状態のビームリカバリ要求は、端末装置１が所定のサーチスペースでＮＲ−ＰＤＣＣＨを検出した場合にキャンセルされてもよい。
【０１３３】
ただし、ビームリカバリ要求は、端末装置１がＮＲ−ＰＤＣＣＨをモニタするビームペアリンクの新しい設定を基地局装置３に要求するために用いられてもよい。
【０１３４】
ただし、ビームリカバリ要求は、端末装置１がビームペアリンク状態報告を行なうための上りリンクリソースを基地局装置３に要求するために用いられてもよい。
【０１３５】
ただし、ビームリカバリ要求は、基地局装置３が利用可能な複数の下りリンク送信ビームのうちの１つまたは複数に関連付けられた情報を端末装置１が示すために用いられてもよい。
【０１３６】
端末装置１は、ビームリカバリ要求をトリガーした場合にビームリカバリ―要求用カウンタを０にセットしてもよい。
【０１３７】
端末装置１は、ビームリカバリ要求がベンディングされており、かつどのＴＴＩにおいてもビームリカバリ要求に有効（valid）な上りリンクリソースを持たない場合に、ランダムアクセス手順を開始（initiate）してもよい。
【０１３８】
端末装置１は、ビームリカバリ要求がペンディングされており、かつあるＴＴＩでビームリカバリ要求のために有効な上りリンクリソースを持っている場合に、下記の処理を行なってもよい。
・端末装置１は、ビームリカバリ要求用カウンタがビームリカバリ要求用カウンタの上限値より小さい場合に、ビームリカバリ要求用カウンタをインクリメントしてもよい。
・端末装置１は、ビームリカバリ要求用カウンタがビームリカバリ要求用カウンタの上限値より小さい場合に、ビームリカバリ要求用の上りリンクリソースを用いてビームリカバリ要求をシグナルすることを物理レイヤに指示してもよい。
・端末装置１は、ビームリカバリ要求用カウンタがビームリカバリ要求用カウンタの上限値より小さい場合に、ビームリカバリ要求禁止タイマーを開始してもよい。
・端末装置１は、ビームリカバリ要求用カウンタがビームリカバリ要求用カウンタの上限値と等しい場合（上限値より大きい場合を含んでもよい）に、ペンディングしているビームリカバリ要求をキャンセルしてもよい。
・端末装置１は、ビームリカバリ要求用カウンタがビームリカバリ要求用カウンタの上限値と等しい場合（上限値より大きい場合を含んでもよい）に、ランダムアクセス手順を開始（initiate）してもよい。
【０１３９】
ただし、端末装置１は、ビームリカバリ要求禁止タイマーが実行されている場合には、ビームリカバリ要求用カウンタのインクリメント、ビームリカバリ要求のシグナル、および／または、ビームリカバリ要求錦糸タイマーの開始を行なわないようにしてもよい。
【０１４０】
ビームリカバリ要求に用いられる上りリンクリソースは、端末装置１が受信する１つまたは複数の参照信号のうちの１つまたは複数に関連付けられた上りリンクリソースであってもよい。
【０１４１】
ビームリカバリ要求に用いられる上りリンクリソースは、端末装置１がＮＲ−ＰＤＣＣＨをモニタしている１つまたは複数のビームペアリンクのうち、最もビームペアリンククオリティが良いビームペアリンクに関連付けられた上りリンクリソースであってもよい。
【０１４２】
ビームリカバリ要求に用いられる上りリンクリソースは、端末装置１が受信する１つまたは複数の参照信号のうち、最も受信電力（例えばＲＳＲＰ）が良い参照信号に関連付けられた上りリンクリソースであってもよい。
【０１４３】
ただし、ビームリカバリ要求は、所定の上りリンクリソースを用いたスケジューリング要求であってもよい。例えば、端末装置１が受信する１つまたは複数の参照信号のうちの１つまたは複数に関連付けられた上りリンクリソースを用いて送信されるスケジューリング要求であってもよい。
【０１４４】
基地局装置３に対してビームリカバリ要求を行なった端末装置１は、所定の期間で該ビームリカバリ要求に対する基地局装置３からの応答をモニタしてもよい。
【０１４５】
端末装置１からビームリカバリ要求を受けた基地局装置３は、該ビームリカバリ要求に対する応答を該端末装置１に送信してもよい。
【０１４６】
端末装置１からビームリカバリ要求を受けた基地局装置３は、該ビームリカバリ要求に用いられた上りリンクリソースに基づいて、該端末装置１へ下りリンク制御チャネルを送信するための下りリンク送信ビームを選択してもよい。
【０１４７】
ただし、基地局装置３が送信するビームリカバリ要求に対する応答は、該端末装置１がＮＲ−ＰＤＣＣＨをモニタする１つまたは複数のサーチスペースを示す設定の通知であってもよい。ただし、端末装置１がＮＲ−ＰＤＣＣＨをモニタすべき１つまたは複数のサーチスペースを示す設定は、ＲＲＣレイヤで設定された複数のサーチスペースの候補のうちの１つまたは複数を示す設定であってもよい。ただし、端末装置１がＮＲ−ＰＤＣＣＨをモニタすべき１つまたは複数のサーチスペースは、複数のサーチスペースの候補のそれぞれにビットが対応付けられたビットマップ情報により示されてもよい。ビームリカバリ要求を行なった端末装置１は、基地局装置３から受信したビームリカバリ要求に対する応答に基づいて、ＮＲ−ＰＤＣＣＨをモニタする１つまたは複数のサーチスペースを更新してもよい。ただし、ビームリカバリ要求を行なった端末装置１は、基地局装置３から受信したビームリカバリ要求に対する応答に基づいて、１つまたは複数のＮＲ−ＰＤＣＣＨをモニタするための下りリンク受信ビーム（下りリンクビームペアリンクであってもよい）を変更してもよい。
【０１４８】
端末装置１からビームリカバリ要求を受信した基地局装置３は、該端末装置１が下りリンクのビームペアリンク状態報告を送信するための上りリンクグラントを含むＮＲ−ＰＤＣＣＨを該端末装置１に送信してもよい。
【０１４９】
下りリンクのビームペアリンク状態報告を送信するための上りリンクグラントを含むＮＲ−ＰＤＣＣＨを検出した端末装置１は、該上りリンクグラントで指示された上りリンクリソースを用いて、ビームペアリンク状態報告を行なってもよい。
【０１５０】
ただし、端末装置１が送信するビームペアリンク状態報告は、基地局装置３から送信された１つまたは複数の参照信号のそれぞれの受信電力の報告であってもよい。ただし、該１つまたは複数の参照信号のそれぞれの受信電力は、各参照信号を受信する際に端末装置１が適用可能な複数の受信ビームの中で最も電力が高い受信ビームを用いた場合の受信電力であってもよい。
【０１５１】
ただし、端末装置１が送信するビームペアリンク状態報告は、基地局装置３から送信された１つまたは複数の参照信号のうちの１つまたは複数を示すインデックス情報であってもよい。端末装置１は、受信した１つまたは複数の参照信号の受信電力に基づいて、インデックス情報を生成してもよい。
【０１５２】
ビームペアリンク状態報告を行なう端末装置１は、ＭＡＣレイヤにおいてビームペアリンク状態報告用のＭＡＣ  ＣＥを生成してもよい。ビームペアリンク状態報告用のＭＡＣ  ＣＥは１つまたは複数の参照信号に関連付けられた１つまたは複数のインデックス情報を含んでもよい。
【０１５３】
ビームペアリンク状態報告を行なった後、所定の期間で該ビームペアリンク状態報告に対する応答を検出できなかった端末装置１は、再度ビームペアリンク状態報告を行なってもよい。
【０１５４】
端末装置１は、ビームペアリンク状態報告を所定の回数（１回であってもよい）行なっても該ビームペアリンク状態報告に対する応答を検出できなかった場合に、ビームペアリンク状態報告に失敗したとみなし、ランダムアクセス手順に移行してもよい。ランダムアクセス手順に移行した端末装置１は、１つまたは複数の同期信号を検出し、該検出した１つまたは複数の同期信号の１つに関連付けられたランダムアクセスリソースを用いてランダムアクセスプリアンブルを送信する。
【０１５５】
本実施形態におけるサーチスペースは、物理下りリンク制御チャネル領域と言い換えてもよい。その場合、物理下りリンク制御チャネル領域の中に一つまたは複数のサーチスペースが存在するようにしてもよい。
【０１５６】
図１１は、本実施形態において端末装置１がモニタする下りリンク制御チャネル領域を変更する場合の一例を示す概念図である。
【０１５７】
図１１（ａ）では、基地局装置３が５つの送信ビームｂ１、ｂ２、ｂ３、ｂ４、ｂ５を用いて端末装置１へ参照信号を送信している。端末装置１は５つの送信ビームで送信された参照信号のそれぞれをモニタし、それぞれの受信特性に基づく受信電力および／または受信品質を基地局装置３へ報告する。端末装置１は、基地局装置３から設定されたビームペアリンク（参照信号のインデックスや送信ビームのインデックスなどを用いた設定であってもよい）ｍ１、ｍ２、ｍ３に関連付けられた下りリンク制御チャネル領域でＮＲ−ＰＤＣＣＨをモニタする。ただし、ビームペアリンクｍ１、ｍ２、ｍ３はそれぞれ送信ビームｂ１、ｂ２、ｂ３に関連付けられていてよい。また、端末装置１は、設定されたビームペアリンクｍ１、ｍ２、ｍ３のそれぞれのクオリティをモニタする。
【０１５８】
図１１（ｂ）において、端末装置１がモニタしているビームペアリンクｍ１、ｍ２、ｍ３のうち一部においてクオリティが閾値より悪くなった場合に、端末装置１はビームペアリンク失敗とみなす。ビームペアリンク失敗が発生した場合に、端末装置１は基地局装置３へ、ビームリカバリ要求および／またはビームペアリンク状態報告を送る。
【０１５９】
図１１（ｃ）において、端末装置１からビームリカバリ要求および／またはビームペアリンク状態報告を受信した基地局装置３は、端末装置１がＮＲ−ＰＤＣＣＨをモニタする下りリンク制御チャネル領域がビームペアリンクｍ３、ｍ４、ｍ５に関連付けられた下りリンク制御チャネル領域となるように端末装置１に通知する。ただし、ビームペアリンクｍ３、ｍ４、ｍ５は、それぞれ送信ビームｂ３、ｂ４、ｂ５に関連付けられていてよい。
【０１６０】
図１１に示すように、本実施形態の基地局装置３は、端末装置１が受信特性をモニタしている複数の参照信号（ビーム、送信ビームであってもよい）のうちの１つまたは複数にそれぞれ関連付けられた下りリンク制御チャネル領域でＮＲ−ＰＤＣＣＨをモニタするように端末装置１に設定情報を通知してよい。
【０１６１】
ただし、ＮＲ−ＰＤＣＣＨと関連付けられたリンクまたは参照信号をサービングビームグループと呼んでもよい。ＭＡＣで活性化されたサービングビームグループを、アクティベイトサービングビームグループ（activated serving beam group）と呼んでもよい。別の例として、活性化されたＰＤＣＣＨおよび参照信号、またはリンクをサービングビームグループ（serving beam group）と呼んでもよい。
【０１６２】
以下、本実施形態における装置の構成について説明する。
【０１６３】
図１２は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、媒体アクセス制御層処理部１５、無線リソース制御層処理部１６を含んで構成される。無線送受信部１０を送信部、受信部、モニタ部、または、物理層処理部とも称する。上位層処理部１４を測定部または制御部とも称する。
【０１６４】
上位層処理部１４は、ユーザの操作等により生成された上りリンクデータ（トランスポートブロックと称されてもよい）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の一部あるいはすべての処理を行なう。
【０１６５】
上位層処理部１４が備える媒体アクセス制御層処理部１５は、ＭＡＣレイヤ（媒体アクセス制御層）の処理を行なう。媒体アクセス制御層処理部１５は、無線リソース制御層処理部１６によって管理されている各種設定情報／パラメータに基づいて、スケジューリング要求の伝送の制御を行う。媒体アクセス制御層処理部１５は、ビームリカバリ要求の伝送の制御を行なってもよい。媒体アクセス制御層処理部１５は、ビームペアリンク状態報告の伝送の制御を行なってもよい。
【０１６６】
上位層処理部１４が備える無線リソース制御層処理部１６は、ＲＲＣレイヤ（無線リソース制御層）の処理を行なう。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１６７】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。無線送受信部１０は、あるセルにおける複数の参照信号の設定を特定するための情報を受信する機能を有してもよい。無線送受信部１０は、複数の参照信号を受信する機能を有してもよい。無線送受信部１０は、受信した１つまたは複数の参照信号に基づく複数の下りリンクビームペアリンクの受信品質をモニタする機能を有してもよい。
【０１６８】
ＲＦ部１２は、アンテナ部１１を介して受信した信号を、直交復調によりベースバンド信号に変換し（ダウンコンバート: down covert）、不要な周波数成分を除去する。ＲＦ部１２は、処理をしたアナログ信号をベースバンド部に出力する。
【０１６９】
ベースバンド部１３は、ＲＦ部１２から入力されたアナログ信号を、アナログ信号をデジタル信号に変換する。ベースバンド部１３は、変換したデジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０１７０】
ベースバンド部１３は、データを逆高速フーリエ変換（Inverse Fast Fourier Transform: IFFT）して、ＯＦＤＭシンボルを生成し、生成されたＯＦＤＭシンボルにＣＰを付加し、ベースバンドのデジタル信号を生成し、ベースバンドのデジタル信号をアナログ信号に変換する。ベースバンド部１３は、変換したアナログ信号をＲＦ部１２に出力する。
【０１７１】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は在圏セルにおいて送信する上りリンク信号および／または上りリンクチャネルの送信電力を決定する機能を備えてもよい。ＲＦ部１２を送信電力制御部とも称する。
【０１７２】
図１３は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、無線リソース制御層処理部３６を含んで構成される。無線送受信部３０を送信部、受信部、または、物理層処理部とも称する。また様々な条件に基づき各部の動作を制御する制御部を別途備えてもよい。上位層処理部３４を、端末制御部とも称する。
【０１７３】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の一部あるいはすべての処理を行なう。
【０１７４】
上位層処理部３４が備える媒体アクセス制御層処理部３５は、ＭＡＣレイヤの処理を行なう。媒体アクセス制御層処理部３５は、無線リソース制御層処理部３６によって管理されている各種設定情報／パラメータに基づいて、スケジューリングリクエストに関する処理を行う。媒体アクセス制御層処理部３５は、ビームリカバリ要求に関する処理を行なってもよい。媒体アクセス制御層処理部３５は、ビームペアリンク状態報告に関する処理を行なってもよい。
【０１７５】
上位層処理部３４が備える無線リソース制御層処理部３６は、ＲＲＣレイヤの処理を行なう。無線リソース制御層処理部３６は、物理下りリンク共用チャネルに配置される下りリンクデータ（トランスポートブロック）、システム情報、ＲＲＣメッセージ、ＭＡＣ  ＣＥ（Control Element）などを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。無線リソース制御層処理部３６は、あるセルにおける複数の参照信号の設定を特定するための情報を送信／報知してもよい。
【０１７６】
無線送受信部３０は、複数の参照信号を送信する機能を有する。また、端末装置１から、上位層処理部３４で設定した複数のスケジューリング要求リソースのいずれか１つを用いて送信されるスケジューリング要求を受信する機能を有してもよい。また、無線送受信部３０は、あるセルにおける複数の参照信号の設定を特定するための情報を送信する機能を有してもよい。その他、無線送受信部３０の一部の機能は、無線送受信部１０と同様であるため説明を省略する。なお、基地局装置３が１つまたは複数の送受信点４と接続している場合、無線送受信部３０の機能の一部あるいは全部が、各送受信点４に含まれてもよい。
【０１７７】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、またはユーザデータの送信（転送）または受信を行なう。図９において、その他の基地局装置３の構成要素や、構成要素間のデータ（制御情報）の伝送経路については省略してあるが、基地局装置３として動作するために必要なその他の機能を有する複数のブロックを構成要素として持つことは明らかである。例えば、上位層処理部３４には、無線リソース管理（Ｒａｄｉｏ  Ｒｅｓｏｕｒｃｅ  Ｍａｎａｇｅｍｅｎｔ）層処理部や、アプリケーション層処理部が存在している。また上位層処理部３４は、無線送受信部３０から送信する複数の参照信号のそれぞれに対応する複数のスケジューリング要求リソースを設定する機能を有してもよい。
【０１７８】
なお、図中の「部」とは、セクション、回路、構成装置、デバイス、ユニットなど用語によっても表現される、端末装置１および基地局装置３の機能および各手順を実現する要素である。
【０１７９】
端末装置１が備える符号１０から符号１６が付された部のそれぞれは、回路として構成されてもよい。基地局装置３が備える符号３０から符号３６が付された部のそれぞれは、回路として構成されてもよい。
【０１８０】
以下、本発明の一態様における、端末装置１および基地局装置３の態様について説明する。
【０１８１】
（１）本発明の第１の態様は、端末装置１であって、下りリンク制御チャネルをモニタする複数のビームペアリンクを設定する制御部１４と、前記複数のビームペアリンクのそれぞれのクオリティをモニタするモニタ部１０と、前記複数のビームペアリンクのうち、一つまたは複数のビームペアリンクにおいてビームペアリンク失敗が検出された場合に、ビームペアリンク状態報告をトリガーするトリガー制御部１４と、を備え、前記トリガー制御部１４は、ある条件でトリガーされた前記ビームペアリンク状態報告をキャンセルする。
【０１８２】
（２）本発明の第１の態様において、前記ある条件は、送信のためのＭＡＣ  ＰＤＵに前記ビームペアリンク状態報告が含まれていることであってよい。
【０１８３】
（３）本発明の第１の態様において、前記ビームペアリンク状態報告がトリガーされたことに基づいて、スケジューリング要求をトリガーしてよい
（４）本発明の第１の態様において、前記ビームペアリンク状態報告がトリガーされたことに基づいて、ビームリカバリ要求をトリガーしてよい
（５）本発明の第１の態様において、トリガーされた前記ビームリカバリ要求がペンディングされていて、前記ビームリカバリ要求のための有効な物理上りリンクリソースを持っていない場合に、ランダムアクセスプリアンブル手続きを開始してよい。
【０１８４】
（６）本発明の第１の態様において、前記モニタ部１０は、前記複数のビームペアリンクのそれぞれのクオリティを、対応するビームペアリンクに関連付けられた参照信号に基づいてモニタしてよい。
【０１８５】
（７）本発明の第２の態様は、端末装置１であって、下りリンク制御チャネルをモニタする複数のビームペアリンクを設定する制御部１４と、前記複数のビームペアリンクのそれぞれのクオリティをモニタするモニタ部１０と、前記複数のビームペアリンクのうち、一つまたは複数のビームペアリンクにおいてビームペアリンク失敗が検出された場合に、ビームリカバリ要求をトリガーするトリガー制御部１４と、を備え、前記トリガー制御部１４は、ある条件でペンディングしている前記ビームリカバリ要求をキャンセルする。
【０１８６】
（８）本発明の第２の態様において、前記ある条件は、ＭＡＣ  ＰＤＵがアセンブルされて、前記ＭＡＣ  ＰＤＵがビームペアリンク状態報告を含んでいることであってよい。
【０１８７】
（９）本発明の第２の態様において、前記ある条件は、前記ビームリカバリ要求に関連する上りリンクグラントを受信することであってよい。
【０１８８】
（１０）本発明の第２の態様において、前記ある条件は、前記トリガーされたビームリカバリ要求がペンディングされており、かつ前記ビームリカバリ要求のための有効な物理上りリンクリソースを持っていないことであってよい。
【０１８９】
（１１）本発明の第２の態様において、前記トリガーされたビームリカバリ要求がペンディングされていて、前記ビームリカバリ要求のための有効な物理上りリンクリソースを持っていない場合に、ランダムアクセスプリアンブル手続きを開始してもよい。
【０１９０】
（１２）本発明の第２の態様において、ビームリカバリ要求を送信するごとにインクリメントするカウンタ１４を備え、前記カウンタ１４が所定の値である場合に、ランダムアクセスプリアンブル手続きを開始してもよい。
【０１９１】
（１３）本発明の第２の態様において、前記ある条件は、前記カウンタ１４が前記所定の値であることであってもよい。
【０１９２】
（１４）本発明の第２の態様において、前記モニタ部１０は、前記複数のビームペアリンクのそれぞれのクオリティを、対応するビームペアリンクに関連付けられた参照信号に基づいてモニタしてもよい。
【０１９３】
（１５）本発明の第３の態様は、端末装置１であって、基地局装置３から複数の参照信号の各々に関連付けられた複数の下りリンク制御チャネル領域のそれぞれのリソースを示す第１の情報を含む信号を受信し、前記基地局装置３から前記複数の下りリンク制御チャネル領域のうちの１つまたは複数を設定する第２の情報を含む信号を受信する受信部１０と、前記第１の情報と前記第２の情報に基づく下りリンク制御チャネル領域で下りリンク制御チャネルをデコードするためにモニタするモニタ部１０と、を備える。
【０１９４】
（１６）本発明の第３の態様において、前記第１の情報と前記第２の情報に基づく下りリンク制御チャネル領域で、リンクの品質をモニタしてよい。
【０１９５】
（１７）本発明の第３の態様において、前記第１の情報はＲＲＣメッセージに含まれ、前記第２の情報はＭＡＣ  ＣＥに含まれてよい。
【０１９６】
（１８）本発明の第４の態様は、基地局装置３であって、端末装置１へ送信する複数の参照信号を生成する参照信号生成部１０と、前記複数の参照信号の各々に関連付けられた複数の下りリンク制御チャネル領域のそれぞれのリソースを示す第１の情報を含む信号を送信し、前記端末装置に対して前記複数の下りリンク制御チャネル領域のうちの１つまたは複数を指示する第２の情報を含む信号を送信し、前記第１の情報と前記第２の情報に基づく下りリンク制御チャネル領域で下りリンク制御チャネルを送信する送信部１０と、を備える。
【０１９７】
本発明の一態様に関わる装置で動作するプログラムは、本発明の一態様に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１９８】
尚、本発明の一態様に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１９９】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０２００】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０２０１】
以上、この発明の実施形態に関して図面を参照して詳述してきたが、具体的な構成はこの実施形態に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２０２】
本発明の一態様は、例えば、通信システム、通信機器（例えば、携帯電話装置、基地局装置、無線ＬＡＮ装置、或いはセンサーデバイス）、集積回路（例えば、通信チップ）、又はプログラム等において、利用することができる。
【符号の説明】
【０２０３】
１（１Ａ、１Ｂ）  端末装置
３  基地局装置
４  送受信点（ＴＲＰ）
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
５０  送信ユニット（ＴＸＲＵ）
５１  位相シフタ
５２  アンテナエレメント
【図１】
2018174271.tif 000003
【図２】
2018174271.tif 000004
【図３】
2018174271.tif 000005
【図４】
2018174271.tif 000006
【図５】
2018174271.tif 000007
【図６】
2018174271.tif 000008
【図７】
2018174271.tif 000009
【図８】
2018174271.tif 000010
【図９】
2018174271.tif 000011
【図１０】
2018174271.tif 000012
【図１１】
2018174271.tif 000013
【図１２】
2018174271.tif 000014
【図１３】
2018174271.tif 000015
【国際調査報告】
2018174271.tif 000016
2018174271.tif 000017
2018174271.tif 000018